(57)【要約】【課題】恒星の固有運動や擬似宇宙飛行の演出が可能であり，操作者に高度な天文知識を要求することなく，観客に対して自然な映像を維持することができるプラネタリウム投映装置を提供すること。【解決手段】現在時刻Ｔを取得する。次に，取得した時刻Ｔがあらかじめ設定された時刻の範囲内であるか否かを判断する。時刻Ｔが範囲外の場合は，星座絵が投映中であるか否かを判断する。星座絵を投映している場合は，星座絵を非投映にする。その処理後または星座絵を投映していない場合は，操作部の星座絵に関する操作ボタンを操作禁止にする。その処理後または時刻Ｔが範囲内の場合は，現在時刻Ｔが目標時刻Ｔｓに達しているか否かを判断する。目標時刻Ｔｓに達していない場合は，これまでの処理を繰り返す。目標時刻Ｔｓに達している場合は，本処理を終了する。【選択図】            図３
2004361584.tif 000002
【特許請求の範囲】
【請求項１】
擬似宇宙飛行または天体の固有運動の少なくとも一方の演出が可能なプラネタリウム投映装置において，
現在時刻あるいは現在位置を基に，星野の解説を補助する補助画像の投映可否の判定を行う投映判定手段と，
前記投映判定手段にて投映不可と判定された場合には，補助画像を含まない映像を作成し，前記投映判定手段にて投映可能と判定された場合には，補助画像を含む映像を作成する映像作成手段と，
前記映像作成手段にて作成された映像をスクリーン上に投映する投映手段とを有することを特徴とするプラネタリウム投映装置。
【請求項２】
請求項１に記載するプラネタリウム投映装置において，
補助画像をスクリーン上に表示するか否かを選択する操作手段と，
前記投映判定手段にて補助画像が投映不可と判定された場合には，前記操作手段にてその補助画像の選択を抑制する操作制御手段とを有し，
前記映像作成手段は，前記投映判定手段にて投映不可と判定された場合には，前記操作手段の選択内容に関わらず補助画像を含まない映像を作成することを特徴とするプラネタリウム投映装置。
【請求項３】
請求項１または請求項２に記載するプラネタリウム投映装置において，
前記投映判定手段は，基準時刻と現在時刻との時間差により補助画像の投映可否の判定を行うことを特徴とするプラネタリウム投映装置。
【請求項４】
請求項１または請求項２に記載するプラネタリウム投映装置において，
前記投映判定手段は，基準天体から現在位置までの距離により補助画像の投映可否の判定を行うことを特徴とするプラネタリウム投映装置。
【請求項５】
擬似宇宙飛行または天体の固有運動の少なくとも一方の演出が可能な天文シミュレータのコンピュータに，
現在時刻あるいは現在位置を基に，星野の解説を補助する補助画像の表示可否の判定を行う表示判定機能と，
前記表示判定機能にて表示不可と判定された場合には，補助画像を含まない画像を作成し，前記表示判定手段にて表示可能と判定された場合には，補助画像を含む画像を作成する画像作成機能とを実現させることを特徴とする天文シミュレータ用のプログラム。
【発明の詳細な説明】
【０００１】
【発明の属する技術分野】
本発明は，擬似宇宙飛行や天体の固有運動の演出が可能なプラネタリウム投映装置および天文シミュレータ用のプログラムに関するものである。本明細書において，プラネタリウムとは，スクリーン上に主として星野の映像を投映する設備をいう。
【０００２】
【従来の技術】
近年，電子映像が投映可能なプラネタリウム投映装置や天文シミュレータでは，恒星の固有運動や擬似宇宙飛行の演出が可能なものがある。恒星の固有運動とは，個々の恒星が長い年月の間に宇宙空間内で移動して，地球上から見た見かけ上の位置が個別に変化する現象のことである。また，擬似宇宙飛行とは，例えば地球を脱出して数万光年の彼方の宇宙空間で見た星野を投映するといったシミュレーション機能のことである。
【０００３】
なお，前述した恒星の固有運動や擬似宇宙飛行の演出が可能なプラネタリウム投映装置あるいはパソコン用の天文シミュレータソフトとしては，幾つか製品化されたものがある。しかしながら，文献として本発明に関連したものを探しえなかったため，本明細書では先行技術文献情報を記載していない。
【０００４】
【発明が解決しようとする課題】
しかしながら，前記した従来のプラネタリウム投映装置等には次のような問題点があった。すなわち，恒星の固有運動の演出では，数万年以上の時間の経過によって恒星の位置が変化していく様子をシミュレートしている。そのため，現在の恒星の配列で構成されている星座は，何万年もの年代を進めたり遡ったりすることでその配列が崩れてしまうことがある。一方，星座絵は，地球上から見た状態での現在の恒星の配列から連想された動物等を描いたものである。従って，恒星の配列が崩れた星座に対して星座絵を重ねると，不自然な映像になってしまう。
【０００５】
また，擬似宇宙飛行の演出では，観測位置の移動により恒星の投映位置が変化するため，視点移動による視差が生じる。そして，長距離飛行をシミュレートする場合，その視差の影響により恒星の配列がその移動とともに崩れてしまう。従って，恒星の固有運動の演出と同様に，恒星の配列が崩れた星座に対して星座絵を重ねると，不自然な映像になってしまう。
【０００６】
さらに，プラネタリウム投映装置では，赤道線，黄道線等の極座標線を投映することがある。しかしながら，これらの極座標線は，地球や太陽を基準として描かれるものである。そのため，擬似宇宙飛行の演出中に地球や太陽から遠く離れた観測位置でこれらの極座標線を投映すると，きわめて不自然な映像となってしまう。
【０００７】
また，従来のプラネタリウム投映装置では，操作者自身が不自然な映像になったことを判断し，星座絵等の解説補助を非投映にする必要がある。そのため，操作が複雑であるとともに天文知識が少ない操作者にとっては非常に高度な操作であった。また，不自然な映像であるにもかかわらず解説補助の投映操作を行うこともあり，観客に対して不的確な解説をしてしまうこともあった。
【０００８】
本発明は，前記した従来のプラネタリウム投映装置が有する問題点を解決するためになされたものである。すなわちその課題とするところは，恒星の固有運動や擬似宇宙飛行の演出が可能であり，操作者に高度な天文知識を要求することなく，観客に対して自然な映像を維持することができるプラネタリウム投映装置および天文シミュレータ用のプログラムを提供することにある。
【０００９】
【課題を解決するための手段】
この課題の解決を目的としてなされたプラネタリウム投映装置は，擬似宇宙飛行または天体の固有運動の少なくとも一方の演出が可能なプラネタリウム投映装置であって，現在時刻あるいは現在位置を基に，星野の解説を補助する補助画像の投映可否の判定を行う投映判定手段と，投映判定手段にて投映不可と判定された場合には，補助画像を含まない映像を作成し，投映判定手段にて投映可能と判定された場合には，補助画像を含む映像を作成する映像作成手段と，映像作成手段にて作成された映像をスクリーン上に投映する投映手段とを有するものである。
【００１０】
また，本発明の天文シミュレータ用のプログラムは，擬似宇宙飛行または天体の固有運動の少なくとも一方の演出が可能な天文シミュレータのコンピュータに，現在時刻あるいは現在位置を基に，星野の解説を補助する補助画像の表示可否の判定を行う表示判定機能と，表示判定機能にて表示不可と判定された場合には，補助画像を含まない画像を作成し，表示判定手段にて表示可能と判定された場合には，補助画像を含む画像を作成する画像作成機能とを実現させるものである。
【００１１】
すなわち本発明では，投映判定手段にて，現在時刻あるいは現在位置を基に，星座絵，星座線等の補助画像，いわゆる解説補助についての投映可否の判定が行われる。すなわち，投映判定手段にて，現在時刻あるは現在位置について，観客に対して不自然な映像であるか否かを判定している。なお，ここでいう現在時刻および現在位置は，擬似宇宙飛行または天体の固有運動の演出における時刻および位置であって，実際の時刻および観客の位置のことではない。そして，映像作成手段にて，その判定結果に従った画像が作成される。すなわち，不自然な映像と判定された場合には，解説補助を含む映像は作成されない。そして，作成された映像は，投映手段を介してスクリーンに投映される。これにより，不自然な映像になることなく，観客に対して自然な映像を維持することができる。また，プラネタリウム投映装置自体が解説補助の投映可否を自動的に判断している。従って，操作者は高度な天文知識を要求しない。なお，投映手段については，１つであっても複数であってもよい。
【００１２】
また，本発明のプラネタリウム投映装置は，補助画像をスクリーン上に表示するか否かを選択する操作手段と，投映判定手段にて補助画像が投映不可と判定された場合には，操作手段にてその補助画像の選択を抑制する操作制御手段とを有し，映像作成手段は，投映判定手段にて投映不可と判定された場合には，操作手段の選択内容に関わらず補助画像を含まない映像を作成することとするとよりよい。すなわち，操作手段により補助画像をスクリーン上に表示するか否かを選択することができる。なお，この選択は，操作者（オペレータ）によって行われる。そして，抑制する手段としては，例えばその補助画像の選択ボタンを非表示にする。あるいは，その補助画像の選択ボタンの表示色を変更してもよい。さらには，その選択ボタンの入力を無効にしてもよい。これにより，操作者は，投映すると不自然な映像となる解説補助を識別することができる。そのため，誤って不自然な映像となる解説補助を投映してしまうことを防ぐことができる。
【００１３】
また，本発明のプラネタリウム投映装置の投映判定手段は，基準時刻と現在時刻との時間差により補助画像の投映可否の判定を行うこととするとよりよい。これにより，何万年もの年代を進めたり遡ったりする場合，すなわち天体の固有運動の演出を行う場合に，スクリーンあるいは操作画面の表示が自動的に切り換えられる。これにより，不自然な映像となることはない。
【００１４】
また，本発明のプラネタリウム投映装置の投映判定手段は，基準天体から現在位置までの距離により補助画像の投映可否の判定を行うこととするとよりよい。これにより，現在位置を移動させる場合，すなわち擬似宇宙飛行の演出を行う場合に，スクリーンあるいは操作画面の表示が自動的に切り換えられる。これにより，不自然な映像となることはない。
【００１５】
【発明の実施の形態】
以下，本発明を具体化した実施の形態について，添付図面を参照しつつ詳細に説明する。
【００１６】
［第１の形態］
本形態のプラネタリウム装置は，図１に示すようにドームスクリーン１と，その中央下に設置された投映装置１０とを有している。さらに投映装置１０は，映像制御部２と，映像投映部３と，魚眼レンズ４と，操作部５と，スピーカ６とを備えている。映像制御部２は，ドームスクリーン１上に投映するビデオ映像を制御するためのものである。また，映像制御部２は，プラネタリウム施設内に放送する音声等を制御することも可能である。映像投映部３は，ビデオ映像をドームスクリーン１上に投映するためのものである。魚眼レンズ４は，ビデオ映像をドームスクリーン１の全体に投映するためのレンズである。操作部５は，操作パネルを通じて操作者が実演中あるいは実演前に映像内容の設定を行うためのものである。操作部５の操作パネルとしては，例えばタッチパネルが該当する。そして，操作部５の操作パネルには複数のボタンが表示されており，操作者はそれらのボタンにより種々の機能を選択することが可能である。選択可能な機能には，星座絵，星座線，極座標線等のいわゆる解説補助機能の他，恒星の固有運動や擬似宇宙飛行等のシミュレーション機能がある。恒星の固有運動の演出を行うためには，あらかじめ目標時刻を設定する必要がある。また，擬似宇宙飛行の演出を行うためには，あらかじめ目標地（経由地も含む）を設定する必要がある。なお，目標時刻および目標地は，操作部５にて実演中に設定することが可能である。
【００１７】
図１に示したプラネタリウム装置の映像制御部２は，図２のブロック図に示すように制御部２１と，データ格納部２２と，映像メモリ２３と，映像生成部２４と，音声生成部２５とを備えている。制御部２１は，操作部５からの命令等に従って，映像制御，音声制御，照明制御等を行うものである。データ格納部２２は，制御に必要なデータや投映等に必要なファイルを格納するものである。格納されているデータには，例えば各天体の明るさ，固有運動の情報や各星座の名前，配列がある。また，格納されているファイルには，例えば天体の写真画像や星座絵がある。映像生成部２４は，ドームスクリーン１上に投映する映像を生成するものである。生成された映像は，映像投映部３に送られてドームスクリーン１上に投映される。音声生成部２４は，プラネタリウム施設内に放送される音声を生成するものである。生成された音声は，スピーカ６を介してプラネタリウム施設内に放送される。
【００１８】
次に，本形態のプラネタリウム装置にて恒星の固有運動の演出を行う際の動作について説明する。恒星の固有運動の演出では，シミュレーションの時刻Ｔ（以下，「現在時刻Ｔ」とする）を進める（もしくは遡る）とともにその時間の経過に伴って天体の位置を変化させる処理が行われる。操作者は，操作部５で目標時刻Ｔｓを設定し，恒星の固有運動の演出開始を指示する。なお，目標時刻Ｔｓは，未来の時刻であっても，過去の時刻であってもよい。そして，その指示を受けた映像制御部２では，現在時刻Ｔを進めるとともに天体の位置を徐々に変化させる映像を作成する。さらに，時間の経過に応じて解説補助の表示や操作部５の操作パネルの表示を切り換える。以下，図３のフローチャートを基に，現在時刻Ｔを進めたときの本発明の処理について述べる。
【００１９】
まず，現在時刻Ｔを取得する（Ｓ１１）。次に，取得した現在時刻Ｔがあらかじめ設定された限界時刻の範囲内であるか否かを判断する（Ｓ１２）。すなわち，時刻Ｔが未来側の上限時刻Ｔ１（例えば，ＡＤ７００１年１月１日０時０分０秒）よりも未来の時刻であるか否か，また過去側の下限時刻Ｔ２（例えば，ＢＣ３０００年１月１日０時０分０秒）よりも過去の時刻であるか否かを判断する。時刻Ｔが範囲外の場合（Ｓ１２：ＮＯ）は，星座絵を投映しているか否かを判断する（Ｓ１３）。星座絵を投映している場合（Ｓ１３：ＹＥＳ）は，星座絵を非投映にする（Ｓ１４）。Ｓ１４の処理後または星座絵を投映していない場合（Ｓ１３：ＮＯ）は，操作部５の星座絵に関する操作ボタンを操作禁止にする（Ｓ１５）。具体的には，その操作ボタンの表示色を変更し，その操作ボタンの入力を無効にする。なお，その操作ボタンを非表示としてもよい。Ｓ１５の処理後または時刻Ｔが範囲内の場合（Ｓ１２：ＹＥＳ）は，現在時刻Ｔが目標時刻Ｔｓに達したか否かを判断する（Ｓ１６）。目標時刻Ｔｓに達していない場合（Ｓ１６：ＮＯ）は，Ｓ１１の処理まで戻ってこれまでの処理を繰り返す。目標時刻Ｔｓに達している場合（Ｓ１６：ＹＥＳ）は，時間経過時の処理を終了する。本処理により現在時刻Ｔに伴って自動的にドームスクリーン１および操作部５の表示が切り換えられる。
【００２０】
なお，時刻Ｔの限界時刻は，図３の処理では全星座に共通な閾値として設定されているが，星座ごとに設定されていてもよい。このようにすると，星座ごとにドームスクリーン１および操作部５の表示を切り換えることができる。
【００２１】
次に，恒星の固有運動の演出を行った場合のドームスクリーン１上の表示例および操作部５の表示例について説明する。図４は，現在時刻Ｔを進めた場合のドームスクリーン１上の投映イメージを示す図である。図４（Ａ）は，恒星の固有運動の演出開始時点の星野を表している。さらに解説補助として，おおいぬ座の星座絵および星座線が投映されている。また，開始時刻をＡＤ２０００年１月１５日２１時０分０秒とすると，操作パネルの表示は図５に示すような画面となる。この画面では，星座に関する解説補助の選択を行うことが可能である。解説補助の内容としては，例えば星座絵，星座線，星座名等がある。また，星座はおおいぬ座に限らず他の星座も選択することが可能である。また，画面には，現在時刻およびシミュレーション中の観測位置（以下，「現在位置」とする）が表示されている。
【００２２】
図４（Ｂ）は，図４（Ａ）の時刻から３０００年後の星野を表している。この星野では，恒星の固有運動により図４（Ａ）の星野と比較して天体の配置が変化している。例えば，おおいぬ座の前腕部を示す恒星の位置が変化している。図４（Ｃ）は，時刻をさらに進めてＡＤ７０００年での星野を表している。この時点まで時刻を進めると，図４（Ａ）の時点と比較してかなりの天体の配置が異なっている。そして，この時点の配置からおおいぬを連想することは非常に困難である。それゆえ，自動的に星座絵を非投映にする。具体的には，前述したように上限時刻Ｔ１および下限時刻Ｔ２を設けてその範囲内であるか否かにより自動的に非投映にする。さらに，操作パネルの表示が図６に示すような画面に切り換えられる。すなわち，星座絵に関するボタンの表示が自動的に切り換えられる。さらに，星座絵に関するボタンの入力を受け付けない状態になる。従って，操作者は，不自然な状態で星座絵を投映してしまうことがない。
【００２３】
なお，前述した時間経過時の処理（図３）では，現在時刻Ｔによって表示を切り換えているが，天体の位置によって表示を切り換えることも可能である。以下，図７のフローチャートを基に，天体の位置によって表示を切り換える処理について述べる。
【００２４】
まず，現在時刻Ｔを取得する（Ｓ２１）。次に，取得した現在時刻Ｔでの目印天体の投映位置を算出する（Ｓ２２）。本処理では，目印天体をシリウス，αケンタウリ，アークトゥルスの３つの恒星とする。なお，目印天体はこれに限るものではない。また，目印天体の数も３つに限るものではない。次に，それらの目印天体について，シミュレーション時刻Ｔでの投映方向と基準時刻での投映方向とのずれ量（差分）を算出する（Ｓ２３）。本処理では，基準時刻を２０００年とする。なお，それ以外の時刻であっても，星座絵を表示した際に不自然とならない時刻であればいつでもよい。次に，算出したずれ量が許容範囲内であるか否かを判断する（Ｓ２４）。例えば，３つの目印天体のうち１つでも５度以上のずれがあれば，全体として許容範囲外と判断する。ずれ量が許容範囲外の場合（Ｓ２４：ＮＯ）は，星座絵を投映しているか否かを判断する（Ｓ２５）。星座絵を投映している場合（Ｓ２５：ＹＥＳ）は，星座絵を非投映にする（Ｓ２６）。Ｓ２６の処理後または星座絵を投映していない場合（Ｓ２５：ＮＯ）は，操作部５にて星座絵の操作ボタンを操作禁止にする（Ｓ２７）。Ｓ２７の処理後またはずれ量が許容範囲内の場合（Ｓ２４：ＹＥＳ）は，現在時刻Ｔが目標時刻Ｔｓに達しているか否かを判断する（Ｓ２８）。目標時刻Ｔｓに達していない場合（Ｓ２８：ＮＯ）は，Ｓ２１の処理まで戻ってこれまでの処理を繰り返す。目標時刻Ｔｓに達している場合（Ｓ２８：ＹＥＳ）は，時間経過時の処理を終了する。本処理でも，図３に示した処理と同様に現在時刻Ｔに伴ってドームスクリーン１および操作部５の表示を切り換えることができる。
【００２５】
次に，本形態のプラネタリウム装置にて擬似宇宙飛行の演出を行う際の動作について説明する。擬似宇宙飛行の演出では，現在位置Ｐを移動させるとともにその変化に伴って天体の位置を変化させる処理が行われる。操作者は，操作部５で目標地Ｐｓを設定し，擬似宇宙飛行の演出開始を指示する。そして，その指示を受けた映像制御部２では，現在位置Ｐを移動させるとともに天体の位置を変化させる映像を作成する。さらに，それらの変化に応じて解説補助の表示や操作部５の操作パネルの表示を切り換える。以下，図８のフローチャートを基に，現在位置Ｐを移動させたときの本発明の処理について述べる。
【００２６】
まず，基準天体から現在位置Ｐまでの距離Ｄを算出する（Ｓ３１）。基準天体としては，例えば太陽や地球が該当する。次に，算出した距離Ｄがあらかじめ設定された投映可能距離Ｄ１以下であるか否かを判断する（Ｓ３２）。本処理では，投映可能距離が１００天文単位に設定されている。距離Ｄが投映可能距離Ｄ１以下の場合（Ｓ３２：ＮＯ）は，星座絵を投映しているか否かを判断する（Ｓ３３）。星座絵を投映している場合（Ｓ３３：ＹＥＳ）は，星座絵を非投映にする（Ｓ３４）。Ｓ３４の処理後または星座絵を投映していない場合（Ｓ３３：ＮＯ）は，操作部５の星座絵の操作ボタンを操作禁止にする（Ｓ３５）。Ｓ３５の処理後または距離Ｄが許容範囲内の場合（Ｓ３２：ＹＥＳ）は，現在位置Ｐが目標地Ｐｓに達したか否かを判断する。目標地Ｐｓに達していない場合（Ｓ３６：ＮＯ）は，Ｓ３１の処理まで戻ってこれまでの処理を繰り返す。目標地Ｐｓに達している場合（Ｓ３６：ＹＥＳ）は，現在位置移動時の処理を終了する。本処理により現在位置Ｐの移動に伴って自動的にドームスクリーン１および操作部５の表示が切り換えられる。
【００２７】
なお，前述した処理では，星座絵を対象に表示の切換えを自動的に行っているが，切換えの対象となる解説補助は星座絵に限るものではない。例えば，赤道座標，黄道座標等の極座標線が表示されていた場合には，そのような極座標線も星座絵とともに自動的に切り換えることも可能である。また，すべての解説補助について，映像を切り換えるとする必要はない。例えば，星座線についてはドームスクリーン１上の表示を切り換えないとしてもよい。その場合，操作部５の表示も切り換えなくてもよい。
【００２８】
次に，擬似宇宙飛行の演出を行った場合のドームスクリーン１上の表示例および操作部５の操作パネルの表示例について説明する。図９は，現在位置Ｐが移動した場合のドームスクリーン１上の投映イメージを示す図である。図９（Ａ）は，擬似宇宙飛行の演出開始地点，具体的には地球上空での星野を表している。さらに解説補助として，はくちょう座の星座絵および星座線が投映されている。また，現在位置Ｐを地球上空とすると，操作パネルの表示は図５に示すような画面となる。また，現在位置Ｐを地球とすると，極座標線を表示することが可能である。極座標線を選択する操作パネルの画面としては，例えば図１０に示すようなものがある。
【００２９】
図９（Ｂ）は，目標地Ｐｓをはくちょう座のデネブに設定し，観測者の視点をデネブに向けて回転させたときの星野を表している。図９（Ｃ）は，デネブに向かって擬似宇宙飛行を開始し，基準天体から１００天文単位以上離れた地点での星野を表している。この図９（Ｃ）の星野では，擬似宇宙飛行の開始地点（地球上空）比較してかなりの天体の配置が異なっている。そのため，自動的に星座絵を非投映にする。具体的には，前述したように基準天体からの距離Ｄが投映可能距離Ｄ１を超えているか否かによって自動的に非投映にする。さらに，操作パネルの表示が図１１に示すような画面に切り換えられる。すなわち，星座絵のボタンの表示が自動的に切り換えられる。また，極座標線の選択画面も同様に図１２に示すような画面に切り換えられる。すなわち，極座標線の表示を選択することが不可能になる。従って，操作者は，不自然な状態で星座絵や極座標線を投映してしまうことがない。
【００３０】
なお，前述した現在位置移動時の処理（図８）では，現在位置Ｐと基準天体との距離Ｄによって表示を切り換えているが，天体の位置によって表示を切り換えることも可能である。以下，図１３のフローチャートを基に，天体の位置によって表示を切り換える処理について述べる。
【００３１】
まず，現在位置Ｐを取得する（Ｓ４１）。次に，取得した現在位置Ｐでの目印天体（シリウス，αケンタウリ，アークトゥルス等）の投映方向を算出する（Ｓ４２）。次に，目印天体について，現在位置Ｐでの投映方向と基準位置での投映方向とのずれ量（差分）を算出する（Ｓ４３）。ここでいう基準位置での投映方向とは，基準位置すなわち地球から見た投映方向のことである。次に，算出したずれ量が許容範囲内であるか否かを判断する（Ｓ４４）。ずれ量が許容範囲外の場合（Ｓ４４：ＮＯ）は，星座絵を投映しているか否かを判断する（Ｓ４５）。星座絵を投映している場合（Ｓ４５：ＹＥＳ）は，星座絵を非投映にする（Ｓ４６）。Ｓ４６の処理後または星座絵を投映していない場合（Ｓ４５：ＮＯ）は，操作部５にて星座絵の操作ボタンを操作禁止に変更する（Ｓ４７）。Ｓ４７の処理後またはずれ量が許容範囲内の場合（Ｓ４４：ＹＥＳ）は，現在位置Ｐが目標地Ｐｓに達しているか否かを判断する（Ｓ４８）。目標地Ｐｓに達ていない場合（Ｓ４８：ＮＯ）は，Ｓ４１の処理まで戻ってこれまでの処理を繰り返す。目標地Ｐｓに達している場合（Ｓ４８：ＹＥＳ）は，現在位置Ｐの移動時の処理を終了する。本処理でも，図８に示した処理と同様に現在位置Ｐの移動とともにドームスクリーン１および操作部５の表示を切り換えることができる。
【００３２】
以上詳細に説明したように本形態のプラネタリウム装置では，恒星の固有運動の演出中に，現在時刻Ｔに伴ってドームスクリーン１および操作部５の表示を自動的に切り換えることとしている。すなわち，ドームスクリーン１上に投映されている解説補助を自動的に非投映にすることとしている。さらに，操作部５の操作パネルについて，解説補助に関するボタンの表示を自動的に切り換えることとしている。また，擬似宇宙飛行の演出中にも，現在位置Ｐの移動に伴ってドームスクリーン１および操作部５の表示を自動的に切り換えることとしている。そのため，不自然な状態で星座絵等の解説補助を投映することがない。また，操作者が誤って解説補助の表示を行うこともない。また，表示の切換えを自動的に行っているため，天文知識が少ない操作者に負担をかけることがない。従って，恒星の固有運動や擬似宇宙飛行の演出が可能であり，操作者に高度な天文知識を要求することなく，観客に対して自然な映像を維持することができるプラネタリウム投映装置が実現されている。
【００３３】
［第２の形態］
本形態のプラネタリウム装置は，図１４に示すようにドームスクリーン１と，その周縁に設置された投映部１１〜１６と，操作部１８とを有している。操作部１８は，ドームスクリーン１全体に投映される映像内容の設定を行うためのものである。各投映部は，ドームスクリーン１上に星野を投映するものであり，それぞれ全天の星野のうち割り当てられた領域を担当している。そして，各投映部の協働により，ドームスクリーン１全体に星野の映像を投映している。詳細には，図１５に示すように投映部１１〜１５が周縁沿いの５領域をそれぞれ担当し，投映部１６が天頂部分の１領域を担当している。すなわち，第１の形態のプラネタリウム装置は，１台の投映装置１０により映像を投映する単眼式投映装置であるのに対し，本形態のプラネタリウム装置は，複数台の投映部１１〜１６により映像を投映する多眼式投映装置である。
【００３４】
また，本形態のプラネタリウム装置は，図１６のブロック図に示すように統合制御部５０と，映像制御部５１と，複数の映像生成部からなる映像生成部群５２と，映像調整部５３とを備えている。統合制御部５０は，操作部１８からの命令等に従って，映像制御，音声制御，照明制御等を行うものである。映像制御部５１は，統合制御部５０からの命令等に従って，１つの画像を６つの領域に分割するものである。映像生成部群５２は，各映像生成部がそれぞれ投映部１１〜１６に対応しており，それぞれの投映部に対応した映像を生成するものである。映像調整部５３は，６分割された領域のうち，重なり部分についての繋ぎ合わせ処理を行うものである。調整された映像は，各投映部に送られてドームスクリーン１上に投映される。
【００３５】
このように構成されたプラネタリウム装置であっても，第１の形態と同様に恒星の固有運動や擬似宇宙飛行の演出が可能である。そして，それらの演出中に，統合制御部５０にて図３および図８に示したような処理を行うことが可能である。そのため，恒星の固有運動の演出中に，時間の経過に伴って自動的にドームスクリーン１および操作部１８の表示を切り換えることが可能である。さらに，擬似宇宙飛行の演出中に，現在位置の移動に伴って自動的にドームスクリーン１および操作部１８の表示を切り換えることが可能である。従って，本形態のプラネタリウム投映装置は，操作者に高度な天文知識を要求することはない。また，観客に対して自然な映像を維持することができる。
【００３６】
なお，本実施の形態は単なる例示にすぎず，本発明を何ら限定するものではない。したがって本発明は当然に，その要旨を逸脱しない範囲内で種々の改良，変形が可能である。例えば，本実施の形態ではプラネタリウム装置に本発明を適用しているが，これに限るものではない。すなわち，平面スクリーンに投映するビデオ映像投映装置であってもよい。また，パーソナルコンピュータ用の天文シミュレータであってもよい。また，テレビゲームやゲーム専用機に適用することも可能である。
【００３７】
なお，上述した本発明の実施形態には，特許請求の範囲に記載した発明以外にも，以下の付記に示すような発明が含まれる。
【００３８】
［付記１］  擬似宇宙飛行または天体の固有運動の少なくとも一方の演出が可能なプラネタリウム投映装置において，
現在時刻あるいは現在位置を基に，星野の解説を補助する補助画像の投映可否の判定を行う投映判定手段と，
前記投映判定手段にて投映不可と判定された場合には，補助画像を含まない映像を作成し，前記投映判定手段にて投映可能と判定された場合には，補助画像を含む映像を作成する映像作成手段と，
前記映像作成手段にて作成された映像をスクリーン上に投映する投映手段とを有することを特徴とするプラネタリウム投映装置。
【００３９】
［付記２］  付記１に記載するプラネタリウム投映装置において，
星野の解説を補助する補助画像をスクリーン上に表示するか否かを選択する操作手段と，
前記投映判定手段にて補助画像が投映不可と判定された場合には，前記操作手段でのその補助画像の選択を抑制する操作制御手段とを有することを特徴とするプラネタリウム投映装置。
【００４０】
［付記３］  付記１または付記２に記載するプラネタリウム投映装置において，
前記投映判定手段は，現在の時刻での目印天体の投映位置を算出し，算出された投映位置と基準時刻での目印天体の投映位置との差により補助画像の投映可否の判定を行うことを特徴とするプラネタリウム投映装置。
【００４１】
［付記４］  付記１または付記２に記載するプラネタリウム投映装置において，
前記投映判定手段は，現在の位置での目印天体の投映位置を算出し，算出された投映位置と基準位置での目印天体の投映位置との差により補助画像の投映可否の判定を行うことを特徴とするプラネタリウム投映装置。
【００４２】
［付記５］  擬似宇宙飛行または天体の固有運動の少なくとも一方の演出が可能な天文シミュレータのコンピュータに，
現在時刻あるいは現在位置を基に，星野の解説を補助する補助画像の表示可否の判定を行う表示判定機能と，
前記表示判定機能にて表示不可と判定された場合には，補助画像を含まない画像を作成し，前記表示判定手段にて表示可能と判定された場合には，補助画像を含む画像を作成する画像作成機能とを実現させることを特徴とする天文シミュレータ用のプログラム。
【００４３】
［付記６］  付記５に記載する天文シミュレータ用のプログラムにおいて，
補助画像を画面上に表示するか否かを操作者に選択させる選択機能と，
前記表示判定機能にて補助画像が表示不可と判定された場合には，前記選択機能にてその補助画像の選択を抑制する操作制御機能とを実現させ，
映像作成機能は，前記表示判定機能にて表示不可と判定された場合には，前記選択機能の選択内容に関わらず補助画像を含まない画像を作成することを特徴とする天文シミュレータ用のプログラム。
【００４４】
【発明の効果】
以上の説明から明らかなように本発明によれば，恒星の固有運動や擬似宇宙飛行の演出が可能であり，操作者に高度な天文知識を要求することなく，観客に対して自然な映像を維持することができるプラネタリウム投映装置および天文シミュレータ用のプログラムが提供されている。
【図面の簡単な説明】
【図１】第１の形態に係るプラネタリウム装置の機器構成を示す概略図である。
【図２】第１の形態に係るプラネタリウム装置のシステム構成を示すブロック図である。
【図３】時刻を進めた場合の制御（その１）を示すフローチャートである。
【図４】時刻を進めた場合の投映イメージを示す図である。
【図５】星座の解説補助を投映するための操作画面の一例（現在位置：地球，年代：ＡＣ２００３年）を示す図である。
【図６】星座の解説補助を投映するための操作画面の一例（現在位置：地球，年代：ＢＣ７０００年）を示す図である。
【図７】時刻を進めた場合の制御（その２）を示すフローチャートである。
【図８】現在位置が変化した場合の制御（その１）を示すフローチャートである。
【図９】現在位置が変化した場合の投映イメージを示す図である。
【図１０】極座標線を投映するための操作画面の一例（現在位置：地球，年代：ＡＣ２００３年）を示す図である。
【図１１】星座の解説補助を投映するための操作画面の一例（現在位置：デネブ，年代：ＡＣ２００３年）を示す図である。
【図１２】極座標線を投映するための操作画面の一例（現在位置：デネブ，年代：ＡＣ２００３年）を示す図である。
【図１３】現在位置が変化した場合の制御（その２）を示すフローチャートである。
【図１４】第２の形態に係るプラネタリウム装置の機器構成を示す概略図である。
【図１５】図１４に示したプラネタリウム装置をドーム天頂から見たイメージ図である。
【図１６】第２の形態に係るプラネタリウム装置のシステム構成を示すブロック図である。
【符号の説明】
１    ドームスクリーン
２    映像制御部（投映判定手段，映像作成手段，操作制御手段）
３    映像投映部（投映手段）
４    魚眼レンズ
５    操作部（操作手段）
６    スピーカ
【図１】
2004361584.tif 000003
【図２】
2004361584.tif 000004
【図３】
2004361584.tif 000005
【図４】
2004361584.tif 000006
【図５】
2004361584.tif 000007
【図６】
2004361584.tif 000008
【図７】
2004361584.tif 000009
【図８】
2004361584.tif 000010
【図９】
2004361584.tif 000011
【図１０】
2004361584.tif 000012
【図１１】
2004361584.tif 000013
【図１２】
2004361584.tif 000014
【図１３】
2004361584.tif 000015
【図１４】
2004361584.tif 000016
【図１５】
2004361584.tif 000017
【図１６】
2004361584.tif 000018